(57)【要約】【課題】入力デバイスとして電子ペンを利用することにより、条件を明確に確認した上で多種多様な条件におけるシミュレーション計算を実行し、即座に計算結果を得ることができる計算処理システムを提供する。【解決手段】ユーザは、電子ペンを用い、計算帳票上に印刷された計算指示欄に計算条件を指定する。計算帳票上には、位置情報に対応付けられたドットパターンが形成されており、ユーザが電子ペンで数値、演算子等のエリアを指定すると、そのエリアに対応する数値、演算子が特定され、計算条件が決定される。サーバは、その計算条件を受信し、ユーザが入力した計算条件に基づいて計算処理を行い、端末装置の表示装置、Ｗｅｂ、ＦＡＸ、ＥＭＡＩＬ等の手段で計算結果をユーザに通知する。【選択図】　　　図８
2004127201.tif 000002
【特許請求の範囲】
【請求項１】
電子ペンと、
前記電子ペンにより認識可能に印刷されたドットパターンと、計算条件指示エリアとを有する計算帳票と、
利用者が前記電子ペンにより行った前記計算指示エリアの指定を含む計算条件データを受信してサーバ装置へ送信する端末装置と、
計算条件データに基づいて計算を実行するサーバ装置と、を備える計算処理システムにおいて、
前記サーバ装置は、
前記計算帳票上の各計算条件指示エリアに対応する計算内容を記憶したテーブルと、
前記テーブルを参照して、前記計算条件データから計算内容を決定する計算内容決定手段と、
前記計算内容に対応する計算を実行して計算結果を生成する計算手段と、
を備えることを特徴とする計算処理システム。
【請求項２】
前記サーバ装置は、前記計算結果を前記端末装置へ送信する送信手段をさらに備えることを特徴とする請求項１に記載の計算処理システム。
【請求項３】
電子ペンにより認識可能に印刷されたドットパターンと、計算条件指示エリアとを有する計算帳票に対して、利用者が前記電子ペンにより行った前記計算指示エリアの指定を含む計算条件データを、端末装置を経由して受信する受信手段と、
前記計算帳票上の各計算条件指示エリアに対応する計算内容を記憶したテーブルと、
前記テーブルを参照して、前記計算条件データから計算内容を決定する計算内容決定手段と、
前記計算内容に対応する計算を実行して計算結果を生成する計算手段と、
を備えることを特徴とする計算処理システムのサーバ装置。
【請求項４】
前記計算結果を前記端末装置へ送信する送信手段をさらに備えることを特徴とする請求項３に記載の計算処理システムのサーバ装置。
【請求項５】
前記計算条件データは、前記計算帳票上の座標データであり、前記計算内容は数値及び演算子を含むことを特徴とする請求項３に記載の計算処理システムのサーバ装置。
【請求項６】
前記計算帳票は計算結果の確認方法を指定する確認方法指定欄を有し、
前記確認方法指定欄に対して利用者が電子ペンで入力を行うことにより生成される確認要求データを受信して、前記計算結果を当該確認要求データにより指定される方法で確認用端末へ送信する確認送信手段をさらに備えることを特徴とする請求項３に記載の計算処理システムのサーバ装置。
【請求項７】
コンピュータ上で実行されることにより、計算帳票を使用した計算を実行する計算処理プログラムであって、前記コンピュータを、
電子ペンにより認識可能に印刷されたドットパターンと計算条件指示エリアとを有する計算帳票に対して、利用者が前記電子ペンにより行った前記計算指示エリアの指定を含む計算条件データを、端末装置を経由して受信する受信手段、
前記計算帳票上の各計算条件指示エリアに対応する計算内容を記憶した記憶手段、
前記テーブルを参照して、前記計算条件データから計算内容を決定する計算内容決定手段、
前記計算内容に対応する計算を実行して計算結果を生成する計算手段、
として機能させることを特徴とする計算処理プログラム。
【請求項８】
前記計算結果を送信する送信手段としてさらに前記コンピュータを機能させることを特徴とする請求項７に記載の計算処理プログラム。
【請求項９】
インクペンユニット及び光学的にドットパターンを読み取る読取ユニットを備える電子ペンにより記入される電子ペン用計算帳票であって、前記電子ペンにより認識可能に印刷され、前記帳票上における位置情報を示すドットパターンと、
前記ドットパターン上に印刷され、契約内容及び計算条件を記入するための入力エリアと、を有し、
各入力エリア内に印刷されたドットパターンは、前記契約内容若しくは前記計算条件を規定する数値又は演算子に対応付けされていることを特徴とする電子ペン用帳票。
【発明の詳細な説明】
【０００１】
【発明の属する技術分野】
本発明は、印刷物、電子ペン及び携帯電話、ＰＤＡなどの端末装置を利用し、特殊な計算処理を含むシミュレーション処理を実行するシステムに関する。
【０００２】
【従来の技術】
官公庁や金融機関、保険会社などに提出する書類には、例えば所得税の確定申告書、保険料の計算書など、金額などの数値情報の記入を要するものがある。そのような場合、利用者は一般的に電卓を使用することで、必要な数値計算を行っている。
【０００３】
金融機関や保険会社などは、業務上、多種多様な契約条件に従って、多種多様な計算をする必要がある場合がある。金融機関や保険の外交員などは、専用に開発した特殊な計算機能を有する計算装置を使用することにより計算結果を取得することができる。
【０００４】
【発明が解決しようとする課題】
しかし、金融機関や保険会社などの契約条件に従って行う各種の計算は複雑な場合が多く、計算を実行する外交員などはそのための十分な知識を有する必要がある。また、特殊な計算を自動的に実行する機能を有する専用の電卓や計算装置などを使用する場合でも、外交員などはその装置を正しく操作するための知識を必要とする。よって、そのような知識を習得させるためにそれなりの訓練が要求される。
【０００５】
本発明は、以上の点に鑑みてなされたものであり、入力デバイスとして電子ペンを利用し、専用帳票に計算条件を書き込むことにより、計算方法などについての深い知識を有しない者であっても、迅速かつ正確に計算結果を得ることが可能な計算処理システムを提供することを課題とする。
【０００６】
【課題を解決するための手段】
本発明の１つの観点では、電子ペンと、前記電子ペンにより認識可能に印刷されたドットパターンと、計算条件指示エリアとを有する計算帳票と、利用者が前記電子ペンにより行った前記計算指示エリアの指定を含む計算条件データを受信してサーバ装置へ送信する端末装置と、計算条件データに基づいて計算を実行するサーバ装置と、を備える計算処理システムにおいて、前記サーバ装置は、前記計算帳票上の各計算条件指示エリアに対応する計算内容を記憶したテーブルと、前記テーブルを参照して、前記計算条件データから計算内容を決定する計算内容決定手段と、前記計算内容に対応する計算を実行して計算結果を生成する計算手段とを備える。
【０００７】
また、本発明の同様の観点では、電子ペンにより認識可能に印刷されたドットパターンと、計算条件指示エリアとを有する計算帳票に対して、利用者が前記電子ペンにより行った前記計算指示エリアの指定を含む計算条件データを、端末装置を経由して受信する受信手段と、前記計算帳票上の各計算条件指示エリアに対応する計算内容を記憶したテーブルと、前記テーブルを参照して、前記計算条件データから計算内容を決定する計算内容決定手段と、前記計算内容に対応する計算を実行して計算結果を生成する計算手段と、を備える。
【０００８】
上記の計算処理システム又は計算処理システムのサーバ装置によれば、利用者は、電子ペンと、電子ペン専用の計算帳票を使用して例えば保険料のシミュレーションなどの計算を行う。計算帳票には、保険料の計算条件などの計算条件指示エリアが設けられ、利用者はそこに必要事項を記入することにより、計算条件データが生成されて電子ペン内に蓄積される。計算条件指示エリアは、例えば上記の保険料のシミュレーションの場合、契約条件や契約内容を記入する記入欄と、保険料の計算を指示するための計算指示欄とを含む。電子ペンはその計算条件データを端末装置へ送信し、端末装置はサーバ装置へ送信する。サーバ装置は、テーブルを参照して計算条件データから計算内容を決定し、計算を実行し、その結果を端末装置へ送信する。よって、利用者は電子ペンと計算帳票により計算条件指示を入力すると、その計算をサーバが行って結果を利用者の端末装置へ送信する。よって、利用者は電子ペンにより計算条件を記入するだけで、正しく計算を行うことができる。
【０００９】
上記の計算処理システム又はそのサーバ装置の一態様は、前記計算結果を前記端末装置へ送信する送信手段をさらに備えることができる。これにより、利用者は計算結果を自己の端末上で直ちに知ることができる。
【００１０】
上記の計算処理システムのサーバ装置の一態様では、前記計算条件データは、前記計算帳票上の座標データであり、前記計算内容は数値及び演算子を含むことができる。
【００１１】
上記の計算処理システムのサーバ装置の一態様では、前記計算帳票は計算結果の確認方法を指定する確認方法指定欄を有し、前記確認方法指定欄に対して利用者が電子ペンで入力を行うことにより生成される確認要求データを受信して、前記計算結果を当該確認要求データにより指定される方法で確認用端末へ送信する確認送信手段をさらに備えることができる。これにより、利用者は、計算条件データをサーバ装置へ送信した端末装置のみならず、希望する装置上で計算結果を受信して確認することが可能となる。
【００１２】
本発明の他の観点では、コンピュータ上で実行されることにより、計算帳票を使用した計算を実行する計算処理プログラムは、前記コンピュータを、電子ペンにより認識可能に印刷されたドットパターンと、計算条件指示エリアとを有する計算帳票に対して、利用者が前記電子ペンにより行った前記計算指示エリアの指定を含む計算条件データを、端末装置を経由して受信する受信手段、前記計算帳票上の各計算条件指示エリアに対応する計算内容を記憶したテーブル、前記テーブルを参照して、前記計算条件データから計算内容を決定する計算内容決定手段と、前記計算内容に対応する計算を実行して計算結果を生成する計算手段として機能させる。
【００１３】
上記の計算処理プログラムをコンピュータ上で実行することにより、上記の計算処理システムのサーバ装置を実現することができる。
【００１４】
本発明の他の観点では、インクペンユニット及び光学的にドットパターンを読み取る読取ユニットを備える電子ペンにより記入される電子ペン用計算帳票は、前記電子ペンにより認識可能に印刷され、前記帳票上における位置情報を示すドットパターンと、前記ドットパターン上に印刷され、契約内容及び計算条件を記入するための入力エリアと、を有し、各入力エリア内に印刷されたドットパターンは、前記契約内容若しくは前記計算条件を規定する数値又は演算子に対応付けされている。
【００１５】
上記の電子ペン用計算帳票によれば、利用者が帳票上の入力エリアに記入を行うことにより、契約内容や計算条件を指定することができ、指定した契約内容や計算条件に対応するデータを得ることができる。よって、利用者は複雑な計算方法を習得したり、特殊な計算装置を操作する必要なく、容易にシミュレーション計算などを実行することができる。
【００１６】
【発明の実施の形態】
以下、図面を参照して本発明の好適な実施の形態について説明する。本発明の実施形態によるシミュレーションシステムは、入力デバイスとして電子ペンを利用することにより、帳票上において各種の計算指示を行い、計算指示をサーバへ送信してサーバから計算結果を得るものである。まず始めに、本発明のシミュレーションシステムにおいて入力デバイスとして使用される電子ペンの概要について説明する。
【００１７】
［電子ペン］
図１は電子ペンの使用形態を模式的に示す図であり、図２は電子ペンの構造を示す機能ブロック図である。図１に示すように、電子ペン１０は、ドットパターンが印刷された専用ペーパー２０と組み合わせて使用される。電子ペン１０は、通常のインクペンと同様のペン先部１７を備えており、利用者は通常のインクペンと同様に専用ペーパー２０上に文字などを書くことになる。
【００１８】
図２に示すように、電子ペン１０は、その内部にプロセッサ１１、メモリ１２、Ｂｌｕｅｔｏｏｔｈトランシーバ１３、バッテリー１４、赤外線ＬＥＤ１５、カメラ１６及び圧力センサ１８を備える。また、電子ペン１０は通常のインクペンと同様の構成要素としてインクカートリッジ（図示せず）などを有する。
【００１９】
電子ペン１０は、ペン先部１７により専用ペーパー２０上に描かれたインクの軌跡をデータ化するのではなく、専用ペーパー２０上で電子ペン１０が移動した軌跡座標をデータ化する。赤外線ＬＥＤ１５が専用ぺーパー２０上のペン先部１７近傍を照明しつつ、カメラ１６が専用ペーパー２０に印刷されているドットパターンを読み取り、データ化する。つまり、電子ペン１０は専用ペーパー２０上で利用者が電子ペン１０を移動させることにより生じるストロークを画像データ又はベクトルデータとして取得することができる。
【００２０】
圧力センサ１８は、利用者が電子ペン１０により専用ペーパー上に文字などを書く際にペン先部１７に与えられる圧力、即ち筆圧を検出し、プロセッサ１１へ供給する。プロセッサ１１は、圧力センサ１８から与えられる筆圧データに基づいて、赤外線ＬＥＤ１５及びカメラ１６のスイッチオン／オフの切換を行う。即ち、利用者が電子ペン１０で専用ペーパー２０上に文字などを書くと、ペン先部１７には筆圧がかかる。よって、所定値以上の筆圧が検出されたときに、利用者が記述を開始したと判定して、赤外線ＬＥＤ１５及びカメラ１６を作動する。
【００２１】
カメラ１６は専用ペーパー２０上のドットパターンを読み取り、そのパターンデータをプロセッサ１１に供給する。プロセッサ１１は、供給されたドットパターンから、専用ペーパー２０上でのＸ／Ｙ座標を算出する。
【００２２】
プロセッサ１１は、利用者の記述が行われる間に、筆圧の配列データ及びＸ／Ｙ座標データを取得し、タイムスタンプ（時間情報）と関連付けてメモリ１２に記憶していく。よって、メモリ１２内には利用者の記述内容に対応するデータが時系列で記憶されていく。メモリ１２の容量は例えば１Ｍバイト程度とすることができる。
【００２３】
利用者により送信指示がなされるまでは、取得された全てのデータはメモリ１２内に保持される。そして、利用者が送信指示を行うと、Ｂｌｕｅｔｏｏｔｈトランシーバ１３により、電子ペン１０と所定距離内にある端末装置２５へメモリ１２内のデータが送信される。基本的には、一度送信指示がなされると、電子ペン１０はメモリ１２内に記憶していた全てのデータを端末装置２５へ送信するため、メモリ１２内はクリアされる。よって、送信後にもう一度同じ情報を端末装置２５へ送信したい場合には、利用者は専用ペーパー２０上に再度記述を行う必要がある。なお、この場合、利用者は専用ペーパー２０上にインクペンで書かれた文字などをなぞればよいことになる。
【００２４】
電子ペン１０自体は、送信ボタンなどの機能ボタンを備えておらず、送信指示その他の指示は、利用者が専用ペーパー２０上の所定位置に設けられた専用ボックスを電子ペン１０でチェックすることにより実行される。専用ボックスの位置座標には、予め送信指示が対応付けられており、プロセッサ１１は専用ボックスの位置座標を受信すると、Ｂｌｕｅｔｏｏｔｈトランシーバ１３にメモリ１２内のデータを供給し、端末装置２５への送信を行わせる。なお、電子ペン１０はディスプレイやボタンなどを持たないが、データの送信完了を電子ペンの振動により示すことができる。
【００２５】
バッテリー１４は電子ペン１０内の各要素に電源供給するためのものであり、例えば電子ペンのキャップ（図示せず）により電子ペン１０自体の電源のオン／オフを行うことができる。
【００２６】
このように、電子ペン１０は利用者が専用ペーパー２０上に記述した文字などに対応する座標データ及び筆圧データを取得して近傍の端末装置２５へ送信する機能を有するが、電子ペン１０のペン先部１７は通常のインクペンとなっているため、専用ペーパー２０上に記述した内容はオリジナルの原本として残るという特徴がある。即ち、紙の原本に対して記述するのと同時に、その内容を座標データなどの形態でリアルタイムに電子化することができる。
【００２７】
なお、上記の例では、電子ペン１０から端末装置２５へのデータ送信をＢｌｕｅｔｏｏｔｈの無線伝送により行う例を挙げているが、その代わりに例えばケーブルを使用した有線によるデータ伝送や、電子ペン１０と端末装置２５の一部に設けられた端子などの接触によるデータ伝送など、各種の方法で電子ペン１０から端末装置２５へのデータ伝送を行うことが可能である。
【００２８】
なお、電子ペン１０の標準機能によれば、電子ペン１０により得られるデータは、原則として座標データ又はベクトルデータの形態であり、テキストデータではない。但し、電子ペン１０は標準機能として、専用ペーパー２０上に設けられた専用エリアに記述することにより、英数字に限りテキスト化する機能は備えている。なお、端末装置２５などにおいて、電子ペン１０から送信された座標データやベクトルデータから、文字認識アプリケーションを利用してテキストデータを得ることはもちろん可能である。
【００２９】
また、電子ペン１０内には、ペン自体及びその所有者に関するプロパティ情報（ペン情報及びペン所有者情報）を保持することができ、アプリケーションから参照することができる。ペン情報としては、バッテリーレベル、ペンＩＤ、ペン製造者番号、ペンソフトウェアのバージョン、サブスクリプションプロバイダのＩＤなどを保持できる。また、ペン所有者情報としては、国籍、言語、タイムゾーン、ｅｍａｉｌアドレス、空きメモリ容量、名前、住所、ファックス／電話番号、携帯電話番号などを保持することができる。
【００３０】
次に、電子ペンにより利用者が記述した内容のＸ／Ｙデータを取得する方法について説明する。前述のように専用ペーパー２０には、所定のドットパターンが印刷されている。電子ペン１０のカメラ１６は、利用者が専用ペーパー２０上に記述したインクの軌跡を読み取るのではなく、専用ペーパー２０上のドットパターンを読み取る。実際、図１に示すように、赤外線ＬＥＤ１５による照明領域及びカメラ１６の撮影領域（照明領域内に位置する）は、ペン先部１７が専用ペーパー２０に接触する位置とはずれている。
【００３１】
ドットパターンはカーボンを含む専用インキなどで印刷されており、カメラ１６はその専用インキによるパターンのみを認識することができる。専用インキ以外のインキ（カーボンを含まない）により、専用ペーパー上に罫線や枠などを印刷しても、電子ペンはそれらを認識することはない。よって、専用ペーパーを利用して各種申請書などの帳票を作成する際は、専用インキ以外のインキで入力枠や罫線、注意書きなどを印刷する。
【００３２】
ドットパターンは、図３に例示するように、各ドットの位置がデータに対応付けされている。図３の例では、ドットの位置を格子の基準位置（縦線及び横線の交差点）から上下左右にシフトすることにより、０〜３の２ビット情報を表示した例である。このようにして表現された情報の組み合わせにより、専用ペーパー上の位置座標が決定される。図４（ａ）に例示するように、縦横２ｍｍの範囲内に３６個のドットが格子状に配置され、これらのドットにより示されるデータの配列（図４（ｂ））が、その専用ペーパー上の位置座標と対応付けされている。よって、電子ペン１０のカメラ１６が図４（ａ）に示すようなドットパターンを撮影すると、プロセッサ１１はカメラ１６から入力されるドットパターンのデータに基づいて図４（ｂ）に示すデータ配列を取得し、それに対応する専用ペーパー上の位置座標（即ち、そのドットパターンがその専用ペーパー上のどの位置にあるのか）をリアルタイムで算出する。なお、ドットパターンを認識する最小単位は２ｍｍ×２ｍｍであり、カメラ１６は毎秒１００回程度の撮影を行う。
【００３３】
次に、専用ペーパーについて説明する。専用ペーパーの構造の一例を図５に示す。図示のように、専用ペーパー２０は、台紙３０上にドットパターン３２が印刷され、その上に罫線などの図案３４が印刷されている。台紙３０は通常は紙であり、ドットパターン３２は前述のようにカーボンを含んだ専用インキにより印刷される。また、通常のインキなどにより図案３４が印刷される。ドットパターンと図案とは同時に印刷してもよいし、いずれかを先に印刷してもよい。
【００３４】
図案３４の例を図６に示す。図６は、ある申込書３６の例であり、複数の記入欄３８や送信ボックス３９が印刷されている。図６には明確に図示されていないが、実際にはドットパターンが申込書３６の全面に印刷されており、その上に記入欄３８や送信ボックス３９が通常のインキにより印刷されている。利用者は、ドットパターンを意識することなく、従来からある申込書と同様に、電子ペン１０を使用して必要事項を申込書３６の各記入欄３８に記入すればよい。
【００３５】
専用ペーパー２０上の領域は大きく２種類の領域に分けることができる。１つは記入エリアであり、電子ペン１０による記述内容をそのまま情報として取り扱うエリアである。図６の例では複数の記入欄３８がこれに該当する。もう１つは機能エレメントであり、対応するエリア内を電子ペン１０でチェックした際に、予めそのエリアに対して定義されているアクション、指示などを実行するようになっている。図６の例における送信ボックス３９がこれに該当する。
【００３６】
送信ボックス３９は前述したように電子ペン１０内に記憶されているデータを近傍の端末装置２５へ送信するための指示を行う際に使用される。利用者が送信ボックス３９内に電子ペン１０でチェックを入れると、電子ペン１０が送信ボックス内のドットパターンを読み取る。当該パターンは送信指示に対応付けられており、電子ペン１０内のプロセッサ１１はＢｌｕｅｔｏｏｔｈトランシーバ１３にメモリ１２内の記憶データの送信命令を発する。
【００３７】
ドットパターンの割り当ては、通常、アプリケーション（用紙の種類）毎に行われる。即ち、ある申込書内のドットパターンは１枚の用紙の中で重複することはないが、同一の申込書には全て同じドットパターンが印刷されている。よって、利用者が電子ペン１０で必要事項を入力すると、その入力事項がその申込書のどの項目に対するものであるかを、申込書上の座標データから特定することができる。
【００３８】
このように、ドットパターンを印刷した専用ペーパー上に所定の図案を印刷することにより、専用ペーパーを利用した各種申請書が作成できる。利用者は電子ペン１０を使用して通常の要領で必要事項を記入すれば、その電子データが自動的に取得される。
【００３９】
上記の例では、ドットパターンは専用ペーパー上にカーボンを含むインキにより印刷されているが、プリンタ及びカーボンを含むインクを使用してドットパターンを通常の紙上にプリントすることも可能である。さらに、専用ペーパー上の図案も印刷ではなく、プリンタにより形成することも可能である。ドットパターンをプリンタにより紙上に形成する場合には、１枚１枚に異なるドットパターンを形成することが可能である。よって、形成されたドットパターンの違いにより、それらの用紙１枚１枚を識別し、区別することが可能となる。
【００４０】
なお、本明細書においては、「印刷」の語は、通常の印刷のみならず、プリンタによるプリントも含む概念とする。
【００４１】
次に、電子ペンにより取得したデータの送信処理について説明する。前述のように、電子ペン１０の通信機能はＢｌｕｅｔｏｏｔｈによるものであり、専用ペーパー２０に入力したデータを取り扱うサービスサーバ（特定の申込書であれば、その申込先のサーバということになる）に対して電子ペン１０から直接的にデータを送信することはできない。よって、電子ペン１０により取得したデータは、端末装置２５からサービスサーバへ送信される。
【００４２】
その際の処理を図２を参照して説明する。電子ペン１０が取得したデータは、主として利用者が入力した事項のデータであるが、通常はそのデータの送信先であるサービスサーバがどこであるかの情報は含まれていない。その代わりに、その専用ペーパーに関するアプリケーションやサービスを特定する情報が専用ペーパー上のドットパターンに含まれており、利用者の入力作業中に専用ペーパーからその情報が取得されている。よって、電子ペン１０から入力データを受け取った端末装置２５は、まず、問い合わせサーバ２６に対して、その専用ペーパーに対して入力されたデータをどのサービスサーバ２７へ送信すべきかの問い合わせを行う。問い合わせサーバ２６は、専用ペーパー毎に、対応するサービスサーバの情報を有しており、端末装置２５からの問い合わせに応じて、当該専用ペーパーに関するサービスなどを行うサービスサーバ２７の情報（ＵＲＬなど）を端末装置２５へ回答する。それから、端末装置２５は、電子ペンから取得した入力データをそのサービスサーバ２７へ送信することになる。
【００４３】
なお、上記の例では端末装置２５、問い合わせサーバ２６及びサービスサーバ２７が別個に構成されているが、これらの幾つか又は全てを１つの装置として構成することも可能である。
【００４４】
［計算処理システム］
次に、本発明の実施形態よる計算処理システムについて説明する。
【００４５】
図７に、計算処理システムの概略構成を示す。図７において、利用者は専用ペーパーにより作成された計算帳票４に対して、電子ペン１０を使用して計算指示を入力する。本例では、計算帳票４は保険料計算書であるとする。入力された計算指示に対応する計算条件データは、電子ペン１０から端末装置２５を介してサーバ３へ送信される。サーバ３は計算条件データを受信してその計算を実行して計算結果を算出し、端末装置２５に送信する。端末装置２５は、受信した計算結果を表示部などに表示する。
【００４６】
図８はサーバ３の機能構成を示す。図示のように、サーバ３は、変換テーブル３ａと、計算機能３ｂとを備える。変換テーブル３ａは、計算帳票４上の各指定エリアと、数値又は演算子との対応を示すテーブルであり、サーバ内の所定の記憶部に記憶される。なお、変換テーブル３ａの詳細は後述する。計算機能３ｂは、端末装置２５から送信された計算条件データに従って必要な計算を実行する機能である。計算機能３ｂは、実際にはサーバ３内に予め記憶されたプログラムをサーバ内のＣＰＵなどが実行することにより実現される。
【００４７】
次に、計算帳票の例を説明する。図９に、本実施形態における計算帳票の一例である自動車保険料算出シートを示す。この計算帳票４は、図５に示す台紙３０の上にドットパターン３２が印刷され、その上に図案３４が通常のインキで印刷されてなる。この場合、図案３４は、契約条件及び契約内容の記入欄４０、並びに計算指示欄５０により構成される。
【００４８】
契約条件及び契約内容の記入欄４０は、各項目毎に設けられた複数のチェック欄４１を有する。各チェック欄４１にはその中に記載された内容が対応付けされている。例えば、利用者が電子ペン１０で「保険種類」の「自家用」のチェック欄４１にチェックを記入すると、電子ペン１０はそのチェック欄４１内のドットパターンを読み取ってその座標データを取得する。各チェック欄４１には、そのエリア毎に対応する内容が対応付けられており、その対応付けはサーバ３内に記憶されている。利用者が「自家用」の欄に電子ペン１０でチェックを記入すると、その座標データを含む記入データが電子ペン１０のメモリ１２内に記憶される。
【００４９】
また、計算指示欄５０は、数値又は演算子に対応する複数のチェック欄（電卓のキーに対応する）５１を有する。図１０（ａ）に計算指示欄５０の拡大図を示し、図１０（ｂ）に計算指示欄５０内の各チェック欄５１に対するエリアの対応付けを示す。各チェック欄５１は、図１０（ｂ）に示す＃１〜＃３２のエリアＩＤが対応付けされている。
【００５０】
図１１に、変換テーブル３ａの例を示す。変換テーブル３ａは、図１０（ｂ）に示す各エリアＩＤに対応する数値又は演算子を記憶している。よって、利用者が電子ペン１０で各チェック欄５１にチェックを入れると、変換テーブル３ａを参照することにより、そのチェック欄５１に対応する数値又は演算処理を特定することができる。
【００５１】
なお、計算指示欄５０には、計算結果通知方法欄５２が設けられている。計算結果通知方法欄５２は、利用者が計算結果を電子メールやＦａｘなどにより取得したい場合に、その送信先などの情報を記入するために設けられている。
【００５２】
図１２に、計算帳票４への記入例を示す。図示のように、利用者（保険加入者又は保険外交員など）は、計算帳票４上に電子ペン１０で必要事項を記入する。電子ペン１０はインクユニットを有するので、利用者が記入したチェックは計算帳票４上に残る。こうして、利用者は契約条件や契約内容を記入した後、その契約条件や契約内容における保険料の計算シミュレーションを行う。
【００５３】
具体的には、利用者は電子ペン１０を使用し、計算帳票４に計算指示をする。利用者は通常の電卓を叩くのと同様の要領で、電子ペン１０を使用して、計算帳票４上の各チェック欄５１に例えばチェックマーク等のマーキングをすることで計算条件を入力する。入力された順序は、前述の電子ペン１０の機能により、タイムスタンプ情報として記録されるので、計算指示の演算順序は保証される。
【００５４】
利用者がチェックマークを付けるのは、各チェック欄５１であるが、電子ペン１０はマーキング箇所のドットパターンを読み取り、計算指示欄５０内のどのエリアにチェックマークが付けられたかを示すＸＹ座標データ（以下、「エリアデータ」と呼ぶ。）を判定し、内部のメモリ上に記録する。利用者が計算指示を実行するために、送信ボックス５５をマーキングすると、電子ペン１０のメモリに記録された記入データ（通常は、契約条件及び契約内容に対応する契約条件データと、計算条件データとを含む）と、それに対応したタイムスタンプデータがＢｌｕｅｔｏｏｔｈ通信により端末装置２５に送信される。
【００５５】
端末装置２５はは、電子ペン１０より受け取った記入データをサーバ３へ送信する。サーバ３は、記入データを端末装置２５から受信し、計算機能３ｂにより、計算条件データを変換テーブル３ａと照合することで、数値、演算子を取り出す。
【００５６】
続いて、計算機能３ｂは、取り出した値をタイムスタンプ情報に従って入力順に並べることで計算内容を生成し、この計算内容に従い計算を実行する。計算が完了すると、サーバ３は計算結果を端末装置２５へ送信し、端末装置２５の表示部などに表示させる。図１２に示すように、計算指示の内容（電子ペン１０による記入内容）は図１２に示すように計算帳票４上に残っているので、利用者は自らが行った計算指示に間違いの無いことを帳票上で確認した上で、計算結果を取得することができる。
【００５７】
次に、本システムによる処理について説明する。図１３はシミュレーション処理のフローチャートである。まず、利用者は電子ペン１０で計算帳票４にマーキングすることにより、保険契約条件及び計算指示を入力する。電子ペン１０はマーキングされた位置を専用フォーム上のドットパターンから算出し、ＸＹ座標データ（エリアデータ）として記録する（ステップＳ１３１）。
【００５８】
利用者が保険料シミュレーションの実行を指示するために、送信ボックス５５をマーキングすると（ステップＳ１３２）、電子ペン１０はメモリ上に記録された記入データ（保険契約条件データ及び計算条件データを含む）をＢｌｕｅｔｏｏｔｈ通信機能により端末装置２５に送る（ステップＳ１３３）。端末装置２５は電子ペンから受け取った記入データに自己の端末情報（例えばネットワーク２上の端末アドレスなど）を付加してサーバ３に送信する（ステップＳ１３４）。なお、端末情報を付加する理由は、サーバ３に計算結果の送信先情報を提供するためである。
【００５９】
サーバ３は、変換テーブル３ａを参照して、記入データ中の計算条件データから計算内容を生成する（ステップＳ１３５）。次に、サーバ３は生成された計算内容に従い計算処理を行う（ステップＳ１３６）。そして、サーバ３は計算結果をステップＳ１３４で付加された端末情報に基づいて端末装置２５に送信する（ステップＳ１３７）。計算結果を受け取った端末装置２５は結果を表示部に表示する（ステップＳ１３８）。以上により、利用者は、例えば損害保険の契約条件を帳票により確認した上で、保険料等の計算結果を得ることが可能となる。
【００６０】
次に、計算結果を利用者が取得する方法について説明する。上述の例では、計算結果を端末装置２５に表示するのみとしているが、たとえば、図１０に示す結果通知方法欄５２のように計算帳票上に選択肢を設けて、選択された通知方法で利用者に結果を通知することも可能である。例えば、利用者がＦＡＸで結果を受け取りたい場合にはＦＡＸ番号を入力し、ＦＡＸ枠をマーキングする。利用者が選択した結果通知方法は計算指示データとともにサーバ３に送られるので、サーバ３は利用者が希望する方法、ＦＡＸ、メール、ｗｅｂ等の方法にて別途、計算結果を利用者に通知することとする。
【００６１】
［変形例］
上記の実施形態では、計算帳票４として自動車保険料の算出シートの例を挙げたが、本発明の適用はこれには限られず、損害保険、生命保険、リース、ローン、中古車査定、その他、計算条件を指定することにより計算を行う各種の場合に適用することができる。
【００６２】
また、図９に示す計算帳票４の例では、各チェック欄５１をほぼ等しい大きさにしているが、特定の数値や演算に対応するチェック欄５１を大きくするなど、計算帳票上のチェック欄のサイズや形状を異ならせることも可能である。また、計算の用途に応じて、チェック欄の配列を変更することも可能である。
【００６３】
また、上記の例では、保険料の計算に際し、まず契約条件データと計算条件データとを一緒にサーバへ送信しているが、計算条件のみを変更して複数回のシミュレーション（計算）を行う場合には、計算条件データのみを繰り返しサーバへ送信することも可能である。
【００６４】
【発明の効果】
以上説明したように、本発明によれば、利用者は計算帳票上にて計算条件を確認した上で、端末装置により計算結果を得ることができる。計算処理自体はサーバ側で実行するので、複雑な計算であっても迅速に計算結果を得ることができる。また、計算処理の内容は計算帳票の図案と、計算処理を行うサーバが備える変換テーブル、および、計算処理プログラムの変更により、多種多様に変更・新規作成することが可能となる。よって、計算帳票の提供者は柔軟にかつ迅速に仕様を変更し、利用者に提供することができる。また、利用者は、計算帳票上に必要事項を電子ペンで記入するだけでよく、複雑な計算方法や専用計算装置の操作方法などを習得する必要がないので、オペレータの訓練などを特に必要とすることなく、正確にシミュレーションを行うことができる。
【図面の簡単な説明】
【図１】電子ペンの使用形態を模式的に示す図である。
【図２】電子ペンの構造を示す機能ブロック図である
【図３】専用ペーパーに印刷されたドットパターンによる情報の表現方法を説明する図である。
【図４】ドットパターン及びそれに対応する情報の例を示す。
【図５】専用ペーパーにより構成される帳票の構造を示す。
【図６】帳票の例を示す。
【図７】本発明による計算処理システムの概略構成を示す図である。
【図８】図７に示すシステムの機能構成を示す。
【図９】計算帳票の例を示す。
【図１０】計算帳票上の計算指示欄の構成を示す。
【図１１】変換テーブルの例を示す。
【図１２】必要事項の記入後の計算帳票の例を示す。
【図１３】本発明の計算処理システムによる処理の流れを示すフローチャートである。
【符号の説明】
２　ネットワーク
３　計算サーバ
４　帳票
１０　電子ペン
１１　プロセッサ
１２　メモリ
１３　トランシーバ
１４　バッテリー
２５　端末装置
【図１】
2004127201.tif 000003
【図２】
2004127201.tif 000004
【図３】
2004127201.tif 000005
【図４】
2004127201.tif 000006
【図５】
2004127201.tif 000007
【図６】
2004127201.tif 000008
【図７】
2004127201.tif 000009
【図８】
2004127201.tif 000010
【図９】
2004127201.tif 000011
【図１０】
2004127201.tif 000012
【図１１】
2004127201.tif 000013
【図１２】
2004127201.tif 000014
【図１３】
2004127201.tif 000015